(57)【要約】      （修正有）【課題】電力の消耗が低減でき、且つ第二ソケットと接続する各関連電気装置が、第一ソケットと接続する電気装置の開閉と共に開閉できるので、操作が極めて便利である。【解決手段】別々に電源と接続する第一ソケット１２および第二ソケット１３が少なくとも設けてある殻体と結合する台座を有し、前記第一ソケットが比較増幅回路２３により前記第二ソケットと接続し、前記第二ソケットには制御回路２４が設けてあり、そうすると、比較増幅回路により第一ソケットから出力する電圧を標準電圧と比較して電位信号を前記制御回路に転送し、制御回路が前記電位信号に基づいて、第二ソケットの電源を第一ソケットの開閉と共に開閉することを特徴とする知能付き電源延長具である。【選択図】図３
0003102171.tif 000002
【実用新案登録請求の範囲】
【請求項１】
別々に電源と接続する第一ソケットおよび第二ソケットが少なくとも設けてある殻体と結合する台座と、
台座に取り付けられ、交流電源を一定電圧の直流電源に転換するための整流回路を含む印刷回路基板と、
第一ソケット及び整流回路と接続し、主に第一ソケットに入る交流電源を直流電源に転換するサンプリング回路と、
サンプリング回路及び整流回路と接続し、主にサンプリング回路から出力する電流の電圧を、整流回路から出力する電圧と比較し、この比較した結果に基づいて電位信号を出力する比較増幅回路と、
比較増幅回路及び第二ソケットと接続し、比較増幅回路から出力する信号によって第二ソケットの電源の開閉を制御する制御回路と、を含む知能付き電源延長組において、
比較増幅回路により第一ソケットから出力する電圧を基準電圧と比較して、電位信号を制御回路に転送し、前記制御回路が、前記電位信号に基づいて、第二ソケットの電源を第一ソケットの電源と一緒に開閉することにより、電力消耗が低減でき、自動で全てのソケットの電源の開閉を完成できることを特徴とする、
知能付き電源延長具。
【請求項２】
前記整流回路には並列接続するコンデンサ及び抵抗器が設けてあり、前記コンデンサ及び抵抗器は、入力する交流電源を降下させ、且つ電気線路によりブリッジ整流器、ツェナーダイオード及びコンデンサと接続することにより、前記コンデンサ及び抵抗器によって電圧を降下させた交流電源を、一定電圧のパルス直流電源に転換すると共に、前記パルス直流電源を一定電圧に保持する直流電源に調整することを特徴とする、請求項１に記載の知能付き電源延長具。
【請求項３】
前記サンプリング回路には、第一ソケット及び整流回路と接続するトランスが設けてあり、且つ前記トランスは、ひとつの増幅器と抵抗器とから構成される帰還増幅回路と接続し、前記帰還増幅回路の出力端がひとつのダイオードと、ひとつのコンデンサと、ひとつの抵抗器となどと直列接続するため、第一ソケットの電源が出力しているときに、サンプリング回路により前記電源を増幅して直流電源に転換することができることを特徴とする、請求項１に記載の知能付き電源延長具。
【請求項４】
前記比較増幅回路にはコンパレータが設けてあり、前記コンパレータは、ひとつの入力端がコンデンサと抵抗器とツェナーダイオードとを介して整流回路と接続し、他入力端がサンプリング回路と接続し、且つ出力端がひとつの抵抗器と直列接続するので、前記コンパレータにより、サンプリング回路からの入力電圧を整流回路から出力する標準電圧と比較することができることを特徴とする、請求項１に記載の知能付き電源延長具。
【請求項５】
前記制御回路には、第二ソケットと直列接続するリレーが設けてあることを特徴とする、請求項１に記載の知能付き電源延長具。
【請求項６】
前記制御回路には、電源の状態を表示するための発光ダイオードが設けてあることを特徴とする、請求項１に記載の知能付き電源延長具。
【考案の詳細な説明】
【技術分野】
【０００１】
この考案は知能付き電源延長具（テーブルタップ）に係り、特に電気製品の電源をオフするときに、前記電気製品の関連周辺装置の電源も同時に自動的にオフする知能付き電源延長具に関するものである。
【背景技術】
【０００２】
一般の電源延長具は複数のソケットが設けられる座体を有し、前記座体がそこから延在するケーブルにより電源と接続することにより、ソケットと接続する電気製品が電源を得られる。しかしながら、上記のような装置は、電源スイッチがただ一つあるので、各ソケットの電源を別々に開閉することができない。
【０００３】
上記欠点を解決するために、電源スイッチを各ソケットに取り付けるものが開発され、前記電源スイッチの開閉により、各ソケットの電源を別々に開閉することができ、電力の消耗を低減できるが、前記電源スイッチは手動で開閉することが必要なので、極めて不便である。更に、ソケットと接続する電気製品が、例えばテレビとビデオとスピーカとなどの組合、又はアンプとスピーカとなどの組合、又はパソコンとモニターとその周辺装置となどの組合の場合には、主要な電気製品をオフにするときに、その関連の電気製品の電源も一つ一つ手動でオフにすることが必要であるため、非常に面倒である。
【考案の開示】
【考案が解決しようとする課題】
【０００４】
この考案の目的は、比較増幅回路により第一ソケットから出力する電圧を基準電圧と比較して、電位信号を制御回路に転送し、前記制御回路が、前記電位信号に基づいて、第二ソケットの電源を第一ソケットの電源と一緒に開閉することにより、電力消耗が低減でき、手動しなく全てのソケットの電源の開閉を完成できる知能付き電源延長具を提供する。
【課題を解決するための手段】
【０００５】
上記目的を達成するためになされた本願の考案は、別々に電源と接続する第一ソケットおよび第二ソケットが少なくとも設けてある殻体と結合する台座と、台座に取り付けられ、交流電源を一定電圧の直流電源に転換するための整流回路を含む印刷回路基板と、第一ソケット及び整流回路と接続し、主に第一ソケットに入る交流電源を直流電源に転換するサンプリング回路と、サンプリング回路及び整流回路と接続し、主にサンプリング回路から出力する電流の電圧を、整流回路から出力する電圧と比較し、この比較した結果に基づいて電位信号を出力する比較増幅回路と、比較増幅回路及び第二ソケットと接続し、比較増幅回路から出力する信号によって第二ソケットの電源の開閉を制御する制御回路と、を含む知能付き電源延長組において、比較増幅回路により第一ソケットから出力する電圧を基準電圧と比較して、電位信号を制御回路に転送し、前記制御回路が、前記電位信号に基づいて、第二ソケットの電源を第一ソケットの電源と一緒に開閉することにより、電力消耗が低減でき、自動で全てのソケットの電源の開閉を完成できることを特徴とする知能付き電源延長具であることを要旨としている。
【０００６】
本願の考案では、前記整流回路には並列接続するコンデンサ及び抵抗器が設けてあり、前記コンデンサ及び抵抗器は、入力する交流電源を降下させ、且つ電気線路によりブリッジ整流器、ツェナーダイオード及びコンデンサと接続することにより、前記コンデンサ及び抵抗器によって電圧を降下させた交流電源を、一定電圧のパルス直流電源に転換すると共に、前記パルス直流電源を一定電圧に保持する直流電源に調整することを特徴とする請求項１に記載の知能付き電源延長具であることを要旨としている。
【０００７】
本願の考案では、前記サンプリング回路には、第一ソケット及び整流回路と接続するトランスが設けてあり、且つ前記トランスは、ひとつの増幅器と抵抗器とから構成される帰還増幅回路と接続し、前記帰還増幅回路の出力端がひとつのダイオードと、ひとつのコンデンサと、ひとつの抵抗器となどと直列接続するため、第一ソケットの電源が出力しているときに、サンプリング回路により前記電源を増幅して直流電源に転換することができることを特徴とする請求項１に記載の知能付き電源延長具であることを要旨としている。
【０００８】
本願の考案では、前記比較増幅回路にはコンパレータが設けてあり、前記コンパレータは、ひとつの入力端がコンデンサと抵抗器とツェナーダイオードとを介して整流回路と接続し、他入力端がサンプリング回路と接続し、且つ出力端がひとつの抵抗器と直列接続するので、前記コンパレータにより、サンプリング回路からの入力電圧を整流回路から出力する標準電圧と比較することができることを特徴とする請求項１に記載の知能付き電源延長具であることを要旨としている。
【０００９】
本願の考案では、前記制御回路には、第二ソケットと直列接続するリレーが設けてあることを特徴とする請求項１に記載の知能付き電源延長具であることを要旨としている。
【００１０】
本願の考案では、前記制御回路には、電源の状態を表示するための発光ダイオードが設けてあることを特徴とする請求項１に記載の知能付き電源延長具であることを要旨としている。
【考案の効果】
【００１１】
この考案に係る知能付き電源延長具によれば、電源スイッチは手動で開閉する必要がなくなり、更に、ソケットと接続する電気製品が、例えばテレビとビデオとスピーカとなどの組合、又はアンプとスピーカとなどの組合、又はパソコンとモニターとその周辺装置となどの組合の場合には、主要な電気製品をオフにするときに、その関連の電気製品の電源を一つ一つ手動でオフにすることが必要なく、全ての関連電気製品が同時に自動的にオフにすることができるので、操作が非常に便利である。
【考案を実施するための最良の形態】
【００１２】
以下、添付図面を参照して本考案の好適な実施の形態を詳細に説明する。
まず、図１と図２を参照する。別々に電源と接続する第一ソケット１２および第二ソケット１３が少なくとも設けてある殻体１１と結合する台座１０には、印刷回路基板２０が設けてあり、図３に示すように、前記印刷回路基板２０には外部電源と接続する入力端２０１が設けてあり、前記入力端２０１が第一ソケット１２および第二ソケット１３と接続してあり、且つ前記入力端２０１が電気線路によりひとつの整流回路２１と接続し、前記整流回路２１には並列接続するコンデンサＣ1及び抵抗器Ｒ1が設けてあり、前記コンデンサＣ1及び抵抗器Ｒ1は、入力する交流電源を降下させ、且つ電気線路によりブリッジ整流器２１１、ツェナーダイオードＺＤ１，ＺＤ２及びコンデンサＣ２，Ｃ３と接続することにより、前記コンデンサＣ1及び抵抗器Ｒ1によって電圧を降下させた交流電源が、ブリッジ整流器２１１、ツェナーダイオードＺＤ１，ＺＤ２及びコンデンサＣ２，Ｃ３などによって１２Ｖのパルス直流電源に転換すると共に、前記パルス直流電源を一定電圧に保持する直流電源に調整する。
【００１３】
また、前記整流回路２１はサンプリング回路２２と接続してあり、前記サンプリング回路２２には、第一ソケット１２及び整流回路２１と接続するトランス２２１が設けてあり、且つ前記トランス２２１は、ひとつの増幅器２２２と抵抗器Ｒ２，Ｒ３，Ｒ４とから構成される帰還増幅回路と接続し、前記帰還増幅回路の出力端がひとつのダイオードＤ３と、ひとつのコンデンサＣ４と、ひとつの抵抗器Ｒ５となどと直列接続するため、第一ソケット１２の電源が出力しているときに、サンプリング回路２２により前記電源を増幅して直流電源に転換することができる。
【００１４】
また、前記サンプリング回路２２は比較増幅回路２３と接続し、前記比較増幅回路２３にはコンパレータ２３１が設けてあり、前記コンパレータ２３１は、ひとつの入力端がコンデンサＣ５，Ｃ６と抵抗器Ｒ６とツェナーダイオードＺＤ４とを介して整流回路２１と接続し、他入力端がサンプリング回路２２と接続し、且つ出力端が一抵抗器Ｒ７と直列接続するので、前記コンパレータ２３１により、サンプリング回路２２からの入力電圧を整流回路２１から出力する標準電圧と比較することができる。
【００１５】
また、前記比較増幅回路２３は電気線路により制御回路２４と接続し、前記制御回路２４は、整流回路２１及び第二ソケット１３と接続し、且つ第二ソケット１３と直列接続するリレー２４１が設けてあり、前記リレー２４１は発光ダイオード２４３及びトランジスタ２４２と直列接続し、且つ前記トランジスタ２４２は比較増幅回路２３の出力端と接続するので、前記比較増幅回路２３が比較した電位信号を出力するときに、制御回路２４が前記電位信号に基づいてリレー２４１をオン・オフにし、ひいては第二ソケット１３の電源を開閉することができ、且つ発光ダイオード２４３によって電源の開閉状態を表示する。
【００１６】
次に、図４を参照する。図４は本考案に係る知能付き電源延長具の使用例を示す概略図である。本考案に係る知能付き電源延長具はケーブルによって外部電源と接続することにより、電力が第一ソケット１２及び第二ソケット１３に至り、また、テレビ３０のプラグを第一ソケット１２に挿入し、ビデオ及びアンプなどの関連装置４０を第二ソケット１３に挿入する。そうすると、外部電源が第一ソケット１２に至り、且つテレビがオンの状態であるときに、サンプリング回路２２は第一ソケット１２から入力する電流の電圧を直流電圧に転換させて比較増幅回路２３に入力し、前記比較増幅回路２３が、入力する電圧を標準電圧と比較して、制御回路２４にひとつの低電位信号を出力してリレー２４をオンにし、そうすると、第二ソケット１３と接続する各関連装置４０もオンにされると共に、発光ダイオード２４３が発光する。逆に、前記第一ソケット１２と接続するテレビの電源をオフにするときに、比較増幅回路２３がひとつの高電位信号を制御回路２４に出力してリレー２４をオフにし、そうすると、第二ソケット１３と接続する各関連装置４０もオフにされる。これにより、電力の消耗が低減でき、且つ第二ソケット１３と接続する各電気装置が、第一ソケット１２と接続する電気装置の開閉と共に開閉できるので、操作が極めて便利である。
【図面の簡単な説明】
【００１７】
【図１】この考案に係る知能付き電源延長具の分解斜視図である。
【図２】この考案に係る知能付き電源延長具の組立てた状態の斜視概略図である。
【図３】この考案に係る知能付き電源延長具の電気回路図である。
【図４】この考案に係る知能付き電源延長具の使用例を示す概略図である。
【符号の説明】
【００１８】
１０              台座
１１              殻体
２０              印刷回路基板
２１              整流回路
２１１            ブリッジ整流器
２２              サンプリング回路
２２１            トランス
２２２，２３１    コンパレータ
２３              比較増幅回路
２４              制御回路
２４１            リレー
２４２            トランジスタ
２４３            発光ダイオード
【図１】
0003102171.tif 000003
【図２】
0003102171.tif 000004
【図３】
0003102171.tif 000005
【図４】
0003102171.tif 000006